(57)【要約】      （修正有）【課題】幾つかの基本形状からなるコンクリートブロックを集合させ、海上に浮島を創生することが出来る浮体コンクリートブロック（エフブロック）を提供する。【解決手段】基本構成要素として外形寸法が１０ｍ×１０ｍ×１０ｍで中が空洞の浮体コンクリートブロック（エフブロック）を製作し、必要に応じ形状が異なる類似構造の浮体コンクリートブロック２，３と組み合わせ、集合させて海上に浮かべる事ができるように構成する。以って、その上に、農地や空港などを建設することが出来る、コンクリートブロック浮体構造物よりなる人工の浮島を創製する。【選択図】図３
0003154986.tif 000002
【実用新案登録請求の範囲】
【請求項１】
１０．０ｍ×１０．０ｍ×１０．０ｍの立方体を基本型とするＦ−ブロック（Ｆ−ｂｌｏｃｋ）を造り、これを集合させて人工の浮島（ｆｌｏａｔｉｎｇ  ｉｓｌａｎｄ  略称、エフ）を創製する技術。Ｆ−ブロックのサイズは、使用目的施工上の都合で変化する。
Ｆ−ブロックには通常の高さのフラット（ｆｌａｔ）、通常より高いヒル（ｈｉｌｌ）ヒルとフラットとの段差を埋める役目をするスロープ（ｓｌｏｐｅ）の３種に大別される。エフは湖沼、河川、海岸で、森林、農地、空港、橋、軍事基地、風力、太陽光発電、石油、ガス田開発などに供される。
Ｆ−ブロックの建造方法は、上面以外の外周は、浮体コンクリートブロック（中が空胴）に補強材として鉄骨を組み合わせたものが一般的だが、鋼板もしくは木材（間伐材）だけを使用する場合もある。Ｆ−ブロックの中身は、多孔質溶岩、軽石が一般的で、それ以外に、植物の根（松、竹）木材チップ、砂、発泡スチロールなどを使用する場合もある。Ｆ−ブロックの上面上層は土壌を使用するのが一般的で、他にバーミキュライトなどの土壌の代用品、さらに単に、コンクリート、鋼板、砂、砂利、多孔質溶岩の細粒を使用する場合もある。
エフは力学的に安定している北極海の氷原をモデルにしている為、最低でも縦横１．０ｋｍ×１０．ｋｍ以上のものを指し、従来の浮橋程度のものを、エフとは呼ばない。エフは力学的浮体構造を活用したものである為、安定性、安全性から上記以上の面積を必要としているからである。
エフの高さは、３．０ｍ〜２０．０ｍのものが一般的でうすい板状のものはエフとは呼ばない。エフの厚さが大きい程、安定性が良く、緑化機能も持たせているので、エフの高さは３．０ｍ以上は必要である。
【請求項２】
主に外洋であるが、エフを強い波から保護する為、エフの周囲に人工の海山（ｆｌｏａｔｉｎｇ  ｓｅａ  ｍｏｕｎｔａｉｎ）を１列ないしは数列配置する。
海山の形状は、円すい形で、中が空胴のコンクリート製である。
海山の高さは３０．０ｍのものが一般的で、さらに強烈な波を受ける場合はそれ以上の高さのものもある。海山は高さの１／３が海面上、２／３が海面下になる様に海山の重量を調節し、たとえ海山が波で転倒しても元の状態になる様に海山の重心を調節して製造する。
海山を設置する程の強烈な波を受けない海域では、円形の浮体コンクリートに鉄心を通したソロバン型の防波設備を設ける場合もある。
エフ、海山は流されない様にする為、くさり、支柱で海底（湖底）にしっかり固定する。
海山は北極海の氷山、サンゴ礁をモデルに設計しているので、単に浮いている状態だけでは防波効果は弱く、全体の高さの２／３以上が海面下にある事が重要なポイントである。
【考案の詳細な説明】
【０００１】  本考案は、Ｆ−ブロック（Ｆ−ｂｌｏｃｋ）を集合させて、人工の浮島（ｆｌｏａｔｉｎｇ  ｉｓｌａｎｄ  略称エフ）を創製させる方法で、湖沼、河川、海洋上にて、エフを創製して、森林、農地、空港、長大橋、軍事基地、風力太陽光発電、石油、ガス田開発などに供する。
【背景技術】
【０００２】  従来の埋め立て工法は水深の浅い海、湖、河川にしか適用出来ず、水深の深い場所は、現在も大部分が未利用のままである。又、埋め立て工法は貴重なサンゴ礁海域を破壊するものであり、環境面から必ずしも好ましいものではない。
【考案が解決しようとする課題】
【０００３】  地球表面の７割が海で、地球温暖化対策として空中ＣＯ２固定の為、本工法に依って海上に造林すれば環境対策として有益な一手段となる。又、海上で食糧生産を行えば、食糧不足に対応出来る。本工法は海上に浮体構造物を浮べるだけであるので埋め立てより環境への負荷が少ない。エフ（浮島）は面積が大きくなる程、安定性を増すと云う特性を有しているが、この特性を利用すれば、海峡間、大陸と列島間の長大橋が容易にかつ短期間に施工出来る。本工法を空港に活用（主に滑走路部分）した場合、埋め立てよりコストが安く、サンゴ、ジュゴンなど貴重な生物に与える影響が少ない。現在の軍事基地は陸上部に固定化されたものが一般的だが、エフ上に軍事基地を設ければ、住民とのトラブルはかなり回避出来、さらに解体移動の容易なエフは攻撃面でも固定基地より優位にあり、規模の大きさから原子力空母の数百倍の破壊力を有する。
【課題を解決するための手段】
地球温暖化対策、食糧問題、資源開発は今後地球の７割を占める海洋をいかに低コストで開発出来るかが、重要なポイントになる。
浮島工法は、従来の埋め立て工法、やぐら工法、母船方式より低コストかつ効率的に海洋開発を進める事が出来る。海峡トンネルより低コスト、短期間で、道路、鉄道が建設出来る。
【考案の効果】
【０００５】  浮島工法の最大のメリットは環境への負荷が少ない点である。埋め立ては海の死を意味し、一度破壊された海は二度と元にはもどらない。エフは北極海の氷原と同じで、エフの下には魚類などの海洋生物が泳ぎ回り、海洋生物と人間が共存出来る。浮島工法は工場で大量生産されたＦ−ブロックを、現場でただ連結させるだけなので、工期が埋め立て工法、トンネル工法より工期が短かく、基礎工事もまったく不用でその分、建設コストが大幅に削減出来る。
強風乾燥に強い森を育てるには苗木から育てるのが最上と考えているので、従来の造園業の様に成木を使用しない分、コスト的にも利点がある。
【考案を実施するための最良の形態】
【０００６】  日本をはじめ東アジアに甚大な被害をもたらす台風は、南西諸島、フィリピンミクロネシア、小笠原諸島で囲まれた海域で大部分発生している。近年ここの海水温が上昇し、台風が大型化、強烈化している。台風被害を少なくする為には、この海域に多くのエフを浮かべるのが望ましい。太陽熱を遮断された海は海水温が低下するであろうし、地球温暖化対策としてのＣＯ２の吸収
0003154986.tif 000003
し、１０億人の人々を養えるのである。
【実施例】
【０００７】  図３はエフを森林、農地に活用した場合の一般例。
エフの周辺は防潮の為通常より高いヒルを配置し、森林、農作物は通常の高さのフラット上で植栽する。建物は安定性からエフの中央部のヒル上に建てる。但し建物の高さは１階までとする。【０００８】  図６はエフを長大橋に活用した場合の一般例。
エフの中央に道路か鉄道、両サイドに森林を配置している。
橋の幅は１．０ｋｍ以上あり、景観は日本三景の天橋立に近い。
船舶が通行出来る切戸（きりど）を設けているのが特徴である。【０００９】  図９はエフを空港に活用した場合の一般例。
地上部にターミナルビル、海上部にエフによる滑走路を設けるのが一般的。
空港を沖合に建設する場合は、エフ上にターミナルビルを建設するのではなく、大型船を変形させたターミナルビルをエフによる滑走路に連結させ、さらに、図６の長大橋を空港と陸地との連絡橋とする。
北極海の氷原では氷の厚さ７０ｃｍ以上でジャンボジェット機が離発着可能であるが、エフの厚さは安全性から高さ１０．０ｍに設定している。
【図面の簡単な説明】
【０００１０】
【図１】Ｆ−ブロック  １０．０ｍ×１０．０ｍ×１０．０ｍの基本型
【図２】Ｆ−ブロックの種類  横断面図
【図３】浮島（エフ）の横断面図
【図４】浮島（エフ）と海山の配置図
【図５】海山の横断面図
【図６】浮島（エフ）による長大橋の横断面図
【図７】浮島（エフ）による長大橋の上面図（平面図）
【図８】切戸の横断面図
【図９】浮島（エフ）による空港の上面図（平面図）
【符号の説明】
【０００１１】１．    Ｆ−ブロック
２．    フラット
３．    ヒル
４．    スロープ
５．    人工の浮島（エフ）
６．    人工の海山
７．    道路、鉄道
８．    カシ、シイの苗木
９．    クロマツの苗木
１０．  切戸
１１．  滑走路
１２．  芝
１３．  ターミナルビル
１４．  管制塔
１５．  格納庫
【図１】
0003154986.tif 000004
【図２】
0003154986.tif 000005
【図３】
0003154986.tif 000006
【図４】
0003154986.tif 000007
【図５】
0003154986.tif 000008
【図６】
0003154986.tif 000009
【図７】
0003154986.tif 000010
【図８】
0003154986.tif 000011
【図９】
0003154986.tif 000012
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
１０．０ｍ×１０．０ｍ×１０．０ｍの立方体を基本型とするＦ−ブロック（Ｆ−ｂｌｏｃｋ）を造る。これを集合させて、人工の浮島（ｆｌｏａｔｉｎｇ  ｉｓｌａｎｄ  略称エフ）を創製する技術。Ｆ−ブロックのサイズは、使用目的、施工上の都合で変化する。
Ｆ−ブロックには通常の高さのフラット（ｆｌａｔ）、通常より高いヒル（ｈｉｌｌ）、ヒルとフラットとの段差を埋める役目をするスロープ（ｓｌｏｐｅ）の３種に大別される。
エフは、湖沼、河川、海洋で、森林、農地、空港、橋、軍事基地、風力、太陽光発電、石油、ガス田開発などに供される。
Ｆ−ブロックの製造方法は、Ｆ−ブロックの上面以外の外周は、浮体コンクリートブロックに補強材として鉄骨を組み合わせて造る。鋼板もしくは木材だけで、Ｆ−ブロックを造る場合もある。Ｆ−ブロックの中身は、多孔質溶岩、軽石を用いる。Ｆ−ブロックの底部において、Ｆ−ブロックの中身として、大きなかたまりの多孔質溶岩、軽石を用いる。
Ｆ−ブロックの上層部において、Ｆ−ブロックの中身として、小さなかたまりの多孔質溶岩、軽石を用いる。
Ｆ−ブロックの中身として、多孔質溶岩、軽石以外に、植物の根、木材チップ、砂、発泡スチロールなどを用いる場合もある。
Ｆ−ブロックの最上層部には、Ｆ−ブロックの中身として、多孔質溶岩の細粒、土壌を用いる。土壌は、多孔質溶岩の上に乗せる。Ｆ−ブロックの最上層部に、Ｆ−ブロックの中身として、バーミキュライトなどの土壌代用品、コンクリート、砂、砂利、鋼板などを用いる場合もある。
エフは、力学的浮体構造を活用している為に、エフの表面積は、最小でも縦横１．０ｋｍ×１．０ｋｍ以上にする。エフの高さは、緑化機能を持たせる為には、最小でも３．０ｍ以上にする。
防潮、防波を考慮に入れると、エフの高さは、３．０ｍ〜２０．０ｍにする。
【請求項２】
主に外洋であるが、エフを強い波から保護する為、エフの周囲に人工の海山（ｆｌｏａｔｉｎｇ  ｓｅａ  ｍｏｕｎｔａｉｎ）を１列ないしは数列配置する。
海山の形状は、円すい形で、中が空胴のコンクリート製である。海山の高さは、３０．０ｍにする。さらに、強烈な波を受ける場合は、海山の高さは、３０．０ｍ以上にする。
海山の高さの１／３が、海面上、海山の高さの２／３が、海面下になる様に、海山の重量を調節する。海山が、波で転倒しても元の状態になる様に、海山の重心を調節して、海山を製造する。
エフ、海山は、海流に流されない様にする為、くさり、支柱で海底にしっかり固定する。
【手続補正書】
【提出日】平成20年11月21日(2008.11.21)
【手続補正１】
【補正対象書類名】実用新案登録請求の範囲
【補正対象項目名】全文
【補正方法】変更
【補正の内容】
【実用新案登録請求の範囲】
【請求項１】
１０．０ｍ×１０．０ｍ×１０．０ｍの立方体を基本型とするＦ−ブロック（Ｆ−ｂｌｏｃｋ）。Ｆ−ブロックを集合させて、創製したものが人工の浮島（ｆｌｏａｔｉｎｇ  ｉｓｌａｎｄ  略称エフ）。
表面積１．０ｋｍ２以上，高さ３．０ｍ〜２０．０ｍのエフ。
種類において、
（１）通常の高さのフラット（ｆｌａｔ）、
（２）通常より高いヒル（ｈｉｌｌ）、
（３）ヒルとフラットとの段差を埋める役目をするスロープ（ｓｌｏｐｅ）、
以上からなるＦ−ブロック。
【請求項１】
外周の材料において、
（１）浮体コンクリートブロック、
（２）鋼板、
（３）木材、
以上からなる  Ｆ−ブロック。
中身の材料において、
（１）土壌、
（２）バーミキュライトなどの土壌代用品、
（３）多孔質溶岩、
（４）多孔質溶岩の細粒、
（５）軽石、
（６）砂利
（７）砂、
（８）木材チップ、
（９）植物の根、
以上からなる  Ｆ−ブロック。
【請求項２】
・円すい形で、中が空洞のコンクリート製の人工の海山（ｆｌｏａｔｉｎｇ  ｓｅａ  ｍｏｕｎｔａｉｎ）。
・高さ３０．０ｍの海山。
・高さの１／３が海面上、２／３が海面下になるように浮力調節した海山。
・くさり、支柱で海底に固定された海山。
【手続補正２】
【補正対象書類名】図面
【補正対象項目名】図３
【補正方法】変更
【補正の内容】
【図３】
0003154986.tif 000013
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
１０．０ｍ×１０．０ｍ×１０．０ｍの立方体を基本型とするＦ−ブロック。
【請求項２】
使用目的の種類において、
（１）高さ３．０ｍ〜２０．０ｍの範囲の中で、通常の高さのものをフラット（ｆｌａｔ）、
（２）上記範囲の中で、通常より高いものをヒル（ｈｉｌｌ）、
（３）上記範囲の中で、フラットとヒルとの段差を埋めるものをスロープ（ｓｌｏｐｅ）、
以上からなるＦ−ブロック。
【請求項３】
材料において、
（１）浮体コンクリートブロック、
（２）鉄筋、
（３）鋼板、
（４）木材、
以上からなるＦ−ブロック。
【請求項４】
充填材において、
（１）多孔質溶岩のかたまり、
（２）多孔質溶岩の細粒、
（３）軽石、
（４）砂利、
（５）砂、
（６）土壌、
（７）バーミキュライトなどの土壌代用物、
（８）木材チップ、
（９）植物の根、
以上からなるＦ−ブロック。
【手続補正書】
【提出日】平成21年4月7日(2009.4.7)
【手続補正１】
【補正対象書類名】実用新案登録請求の範囲
【補正対象項目名】全文
【補正方法】変更
【補正の内容】
【実用新案登録請求の範囲】
【請求項１】
１０．０ｍ×１０．０ｍ×１０．０ｍの立方体を基本型とし、人工の浮島に使用されるＦ−ブロック。
【請求項２】
（１）人工の浮島の大部分の面積を占める通常の高さのものをフラット（ｆｌａｔ）、（２）人工の浮島の周囲や建築物の土台に使用される、通常より高いものをヒル（ｈｉｌｌ）、又は、（３）ヒルの周辺に使用され、ヒルとフラットとの段差を埋めるものをスロープ（ｓｌｏｐｅ）、を特徴とする請求項１記載のＦ−ブロック。
【請求項３】
（１）浮体コンクリートブロック、（２）鉄筋、（３）鋼板、又は、（４）木材からなるＦ−ブロック。
【手続補正書】
【提出日】平成21年6月5日(2009.6.5)
【手続補正１】
【補正対象書類名】実用新案登録請求の範囲
【補正対象項目名】全文
【補正方法】変更
【補正の内容】
【実用新案登録請求の範囲】
【請求項１】
集合させて人工の浮島を創製させるブロック（Ｆ−ブロック）であって、１０．０ｍ×１０．０ｍ×１０．０ｍの立方体を基本型とするＦ−ブロック。
【請求項２】
（１）人工の浮島の大部分の面積を占める通常の高さを有するもの（フラット（ｆｌａｔ））、（２）人工の浮島の周囲や建築物の土台に使用される、通常より高いもの（ヒル（ｈｉｌｌ））、又は、（３）ヒルの周辺に使用され、ヒルとフラットとの段差を埋めるもの（スロープ（ｓｌｏｐｅ））であることを特徴とする請求項１記載のＦ−ブロック。
【請求項３】
（１）浮体コンクリートブロック、（２）鉄筋、（３）鋼板、又は、（４）木材からなることを特徴とする請求項１記載のＦ−ブロック。